(57)【要約】【課題】機密情報を含む画像が消去できなくなりセキュリティ上の問題が生じることを防止できる表示装置、その制御プログラム、および制御方法を提供する。【解決手段】本発明の表示装置１００は、既に表示されている画像の表示を維持するために電源の電力を必要としない表示装置であって、表示手段５０と、制御手段７０と、を有する。表示手段５０は、画像を表示する。制御手段７０は、上記電源の残量が第１所定残量以下であるか否かを判断し、表示手段５０に表示されている第１の画像の次に表示される第２の画像が機密情報を含むか否かを判断し、上記第２の画像が機密情報を含み、かつ、上記電源の残量が第１所定残量以下である場合、上記第２の画像を表示しないように制御する。【選択図】図２Ａ
2014174461.tif 000002
【特許請求の範囲】
【請求項１】
既に表示されている画像の表示を維持するために電源の電力を必要としない表示装置であって、
画像を表示する表示手段と、
制御手段と、を備え、
前記制御手段は、
前記電源の残量が第１所定残量以下であるか否かを判断し、
前記表示手段に表示されている第１の画像の次に表示される第２の画像が機密情報を含むか否かを判断し、
前記第２の画像が機密情報を含み、かつ、前記電源の残量が第１所定残量以下である場合、前記第２の画像を前記表示手段に表示しないように制御する、表示装置。
【請求項２】
前記第１の画像を前記第２の画像に更新する指示を受け付ける更新受付手段をさらに有し、
前記制御手段は、
前記更新受付手段の更新指示に応じて、前記第２の画像が機密情報を含むか否かを判断し、
前記第２の画像が機密情報を含み、かつ、前記電源の残量が第１所定残量以下である場合、前記第２の画像を前記表示手段に表示しないように制御することを特徴とする請求項１に記載の表示装置。
【請求項３】
前記制御手段は、前記第２の画像が機密情報を含み、かつ、前記電源の残量が第１所定残量より大きく第２所定残量以下である場合、前記第２の画像を前記表示手段に表示するか、あるいは、表示しないかについてユーザーに選択させることを特徴とする請求項１または２に記載の表示装置。
【請求項４】
前記制御手段は、前記第２の画像が機密情報を含み、かつ、前記電源の残量が第１所定残量より大きく第２所定残量以下である場合、前記第２の画像を前記表示手段に表示した場合消せなくなる可能性がある旨を表す警告を前記表示手段に表示することを特徴とする請求項１〜３のいずれか１項に記載の表示装置。
【請求項５】
前記制御手段は、前記第２の画像が複数ページの文書ファイルの一部である場合、前記文書ファイルのページ数に応じて、前記電源の残量を判断する残量判断レベルを変更することを特徴とする請求項１〜４のいずれか１項に記載の表示装置。
【請求項６】
前記制御手段は、
前記電源の残量をアイコンで表示し、
前記第２の画像が機密情報を含み、かつ、前記電源の残量が所定残量以下である場合、前記アイコンを強調して前記表示手段に表示することを特徴とする請求項１〜５のいずれか１項に記載の表示装置。
【請求項７】
前記表示手段は、電子ペーパーを備えることを特徴とする請求項１〜６のいずれか１項に記載の表示装置。
【請求項８】
既に表示されている画像の表示を維持するために電源の電力を必要としない表示装置を制御する制御プログラムであって、
前記電源の残量が第１所定残量以下であるか否かを判断する手順（ａ）と、
表示手段に表示されている第１の画像の次に表示される第２の画像が機密情報を含むか否かを判断する手順（ｂ）と、
前記第２の画像が機密情報を含み、かつ、前記電源の残量が第１所定残量以下である場合、前記第２の画像を前記表示手段に表示しないように制御する手順（ｃ）と、
をコンピューターに実行させる制御プログラム。
【請求項９】
前記手順（ａ）の前に、前記第１の画像を前記第２の画像に更新する指示を受け付ける手順をさらに有し、
前記手順（ｂ）において、前記指示に応じて、前記第２の画像が機密情報を含むか否かを判断することを特徴とする請求項８に記載の制御プログラム。
【請求項１０】
前記手順（ｃ）において、前記第２の画像が機密情報を含み、かつ、前記電源の残量が第１所定残量より大きく第２所定残量以下である場合、前記第２の画像を前記表示手段に表示するか、あるいは、表示しないかについてユーザーに選択させることを特徴とする請求項８または９に記載の制御プログラム。
【請求項１１】
前記手順（ｃ）において、前記第２の画像が機密情報を含み、かつ、前記電源の残量が第１所定残量より大きく第２所定残量以下である場合、前記第２の画像を前記表示手段に表示した場合消せなくなる可能性がある旨を表す警告を前記表示手段に表示することを特徴とする請求項８〜１０のいずれか１項に記載の制御プログラム。
【請求項１２】
前記手順（ａ）において、前記第２の画像が複数ページの文書ファイルの一部である場合、前記文書ファイルのページ数に応じて、前記電源の残量を判断する残量判断レベルを変更することを特徴とする請求項８〜１１のいずれか１項に記載の制御プログラム。
【請求項１３】
前記手順（ａ）において、
前記電源の残量をアイコンで表示し、
前記第２の画像が機密情報を含み、かつ、前記電源の残量が所定残量以下である場合、前記アイコンを強調して前記表示手段に表示することを特徴とする請求項８〜１２のいずれか１項に記載の制御プログラム。
【請求項１４】
請求項８〜１３のいずれか１項に記載の制御プログラムを記録したコンピューター読み取り可能な記録媒体。
【請求項１５】
既に表示されている画像の表示を維持するために電源の電力を必要としない表示装置を制御する制御方法であって、
前記電源の残量が第１所定電圧以下であるか否かを判断するステップ（ａ）と、
表示手段に表示されている第１の画像の次に表示される第２の画像が機密情報を含むか否かを判断するステップ（ｂ）、
前記第２の画像が機密情報を含み、かつ、前記電源の残量が第１所定残量以下である場合、前記第２の画像を前記表示手段に表示しないように制御するステップ（ｃ）と、
を有する制御方法。
【請求項１６】
前記ステップ（ａ）の前に、前記第１画像を前記第２の画像に更新する指示を受け付けるステップをさらに有し、
前記ステップ（ｂ）において、前記指示に応じて、前記第２の画像が機密情報を含むか否かを判断することを特徴とする請求項１５に記載の制御方法。
【発明の詳細な説明】
【技術分野】
【０００１】
本発明は、表示装置、その制御プログラム、および制御方法に関する。
【背景技術】
【０００２】
近年、電子ペーパーを利用した電子タブレット製品が普及し始めている。現在、広く普及している液晶パネルは、既に表示されている画像の表示を維持するために電力を必要とし、液晶パネルが必要とする電力を電源が供給できなくなった場合、画像の表示を維持することができない。一方、電子ペーパーは、既に表示されている画像の表示を維持するために電力を必要とせず、一度画像を表示させれば、次の画像に更新するまで電力の供給を停止させることがきるため、消費電力を低減できるという利点を有する。
【０００３】
ところが、電子ペーパーは、既に表示されている画像の表示を維持するために電力を必要としない反面、既に表示されている画像を更新または消去するために電力を必要とする。電子タブレット製品などでは、可搬性を確保する観点から内蔵された電池によって電力を供給する構成となっていることが多い。このような構成では、表示された画像を消去するのに必要な電力を何らかの理由で電池が供給できなくなった場合、電子ペーパーは表示された画像を消去することができなくなる。
【０００４】
これに対して、液晶パネルは、液晶パネルが動作する上で必要とする電力を供給できなくなった場合、画像の表示を維持することができないので、表示された画像は自然に消去される。すなわち、液晶パネルでは、既に表示されている画像を消去するために電力を必要としない。
【０００５】
電子ペーパーにおいて、表示された画像を消去するのに必要な電力を電池が供給できなくなることにより、表示された画像を消去できなくなったとしても、表示された画像が機密情報を含んでいない限りセキュリティ上の問題となる可能性は少ない。しかし、表示された画像が機密情報を含んでいる場合、セキュリティ上の大きな問題となる虞がある。
【０００６】
既に表示されている画像を消去できなくなることを防止する技術としては、下記特許文献１に記載の電子ペーパーの表示制御装置が知られている。当該表示制御装置は、電池電圧の低下を検知したとき、表示している画像が機密情報を含む場合は当該画像を消去する一方で、機密情報を含まない場合は当該画像の表示を継続する。このように、上記表示制御装置では、電池電圧の低下を検知したとき、表示されている機密情報を含む画像を消去することにより、機密情報が不意に表示されたままになることを防止している。
【０００７】
しかしながら、特許文献１の表示制御装置では、電池電圧が想定していた以上に低下した場合や電池の想定外の故障により電子ペーパーが必要とする電力を供給できなくなった場合などについて考慮されていない。一般に電池電圧の低下を判断する時点において、電池は、完全に充電されたときに比べて極めて低い電圧レベルであることが想定され、このような電圧レベルの電池は電源として安定性に乏しい。また、たとえば気温の低い場所では、常温の場所に比べて電池の起電力が低下するため、機密情報を含む画像を表示させた後などでは、画像表示のために残り僅かの電力を消費してしまい、表示されている画像を消去する余力が電池に残っていない可能性もある。また、一般に電池の性能は、長期間の使用により低下する。そして、電池の性能が長期間の使用により低下した状態において、電子ペーパーが有する画像表示以外の機能、たとえば他の装置との通信処理やメモリへの画像データの書き込みなどに電力が急激に消費される可能性もある。
【０００８】
このように、上記特許文献１の表示制御装置では、機密情報を含む画像を表示している状態において、電池電圧の低下を判断するので、不測の事態が生じて電子ペーパーが必要とする電力を供給できなくなった場合に機密情報を含む画像を消去できない虞がある。したがって、機密情報を含む画像が消去できなくなりセキュリティ上の問題が生じうる問題がある。
【先行技術文献】
【特許文献】
【０００９】
【特許文献１】特開２００７−１２１６７６号公報
【発明の概要】
【発明が解決しようとする課題】
【００１０】
本発明は、上述した問題を解決するためになされたものである。したがって、本発明の目的は、機密情報を含む画像が消去できなくなりセキュリティ上の問題が生じることを防止できる表示装置、その制御プログラム、および制御方法を提供することである。
【課題を解決するための手段】
【００１１】
本発明の上記目的は、下記によって達成される。
【００１２】
（１）既に表示されている画像の表示を維持するために電源の電力を必要としない表示装置であって、画像を表示する表示手段と、制御手段と、を備え、前記制御手段は、前記電源の残量が第１所定残量以下であるか否かを判断し、前記表示手段に表示されている第１の画像の次に表示される第２の画像が機密情報を含むか否かを判断し、前記第２の画像が機密情報を含み、かつ、前記電源の残量が第１所定残量以下である場合、前記第２の画像を前記表示手段に表示しないように制御する、表示装置。
【００１３】
（２）前記第１の画像を前記第２の画像に更新する指示を受け付ける更新受付手段をさらに有し、前記制御手段は、前記更新受付手段の更新指示に応じて、前記第２の画像が機密情報を含むか否かを判断し、前記第２の画像が機密情報を含み、かつ、前記電源の残量が第１所定残量以下である場合、前記第２の画像を前記表示手段に表示しないように制御することを特徴とする上記（１）に記載の表示装置。
【００１４】
（３）前記制御手段は、前記第２の画像が機密情報を含み、かつ、前記電源の残量が第１所定残量より大きく第２所定残量以下である場合、前記第２の画像を前記表示手段に表示するか、あるいは、表示しないかについてユーザーに選択させることを特徴とする上記（１）または（２）に記載の表示装置。
【００１５】
（４）前記制御手段は、前記第２の画像が機密情報を含み、かつ、前記電源の残量が第１所定残量より大きく第２所定残量以下である場合、前記第２の画像を前記表示手段に表示した場合消せなくなる可能性がある旨を表す警告を前記表示手段に表示することを特徴とする上記（１）〜（３）のいずれか１つに記載の表示装置。
【００１６】
（５）前記制御手段は、前記第２の画像が複数ページの文書ファイルの一部である場合、前記文書ファイルのページ数に応じて、前記電源の残量を判断する残量判断レベルを変更することを特徴とする上記（１）〜（４）のいずれか１つに記載の表示装置。
【００１７】
（６）前記制御手段は、前記電源の残量をアイコンで表示し、前記第２の画像が機密情報を含み、かつ、前記電源の残量が所定残量以下である場合、前記アイコンを強調して前記表示手段に表示することを特徴とする上記（１）〜（５）のいずれか１つに記載の表示装置。
【００１８】
（７）前記表示手段は、電子ペーパーを備えることを特徴とする上記（１）〜（６）のいずれか１つに記載の表示装置。
【００１９】
（８）既に表示されている画像の表示を維持するために電源の電力を必要としない表示装置を制御する制御プログラムであって、前記電源の残量が第１所定残量以下であるか否かを判断する手順（ａ）と、表示手段に表示されている第１の画像の次に表示される第２の画像が機密情報を含むか否かを判断する手順（ｂ）と、前記第２の画像が機密情報を含み、かつ、前記電源の残量が第１所定残量以下である場合、前記第２の画像を前記表示手段に表示しないように制御する手順（ｃ）と、をコンピューターに実行させる制御プログラム。
【００２０】
（９）前記手順（ａ）の前に、前記第１の画像を前記第２の画像に更新する指示を受け付ける手順をさらに有し、前記手順（ｂ）において、前記指示に応じて、前記第２の画像が機密情報を含むか否かを判断することを特徴とする上記（８）に記載の制御プログラム。
【００２１】
（１０）前記手順（ｃ）において、前記第２の画像が機密情報を含み、かつ、前記電源の残量が第１所定残量より大きく第２所定残量以下である場合、前記第２の画像を前記表示手段に表示するか、あるいは、表示しないかについてユーザーに選択させることを特徴とする上記（８）または（９）に記載の制御プログラム。
【００２２】
（１１）前記手順（ｃ）において、前記第２の画像が機密情報を含み、かつ、前記電源の残量が第１所定残量より大きく第２所定残量以下である場合、前記第２の画像を前記表示手段に表示した場合消せなくなる可能性がある旨を表す警告を前記表示手段に表示することを特徴とする上記（８）〜（１０）のいずれか１つに記載の制御プログラム。
【００２３】
（１２）前記手順（ａ）において、前記第２の画像が複数ページの文書ファイルの一部である場合、前記文書ファイルのページ数に応じて、前記電源の残量を判断する残量判断レベルを変更することを特徴とする上記（８）〜（１１）のいずれか１つに記載の制御プログラム。
【００２４】
（１３）前記手順（ａ）において、前記電源の残量をアイコンで表示し、前記第２の画像が機密情報を含み、かつ、前記電源の残量が所定残量以下である場合、前記アイコンを強調して前記表示手段に表示することを特徴とする上記（８）〜（１２）のいずれか１つに記載の制御プログラム。
【００２５】
（１４）上記（８）〜（１３）のいずれか１つに記載の制御プログラムを記録したコンピューター読み取り可能な記録媒体。
【００２６】
（１５）既に表示されている画像の表示を維持するために電源の電力を必要としない表示装置を制御する制御方法であって、前記電源の残量が第１所定電圧以下であるか否かを判断するステップ（ａ）と、表示手段に表示されている第１の画像の次に表示される第２の画像が機密情報を含むか否かを判断するステップ（ｂ）、前記第２の画像が機密情報を含み、かつ、前記電源の残量が第１所定残量以下である場合、前記第２の画像を前記表示手段に表示しないように制御するステップ（ｃ）と、を有する制御方法。
【００２７】
（１６）前記ステップ（ａ）の前に、前記第１画像を前記第２の画像に更新する指示を受け付けるステップをさらに有し、前記ステップ（ｂ）において、前記指示に応じて、前記第２の画像が機密情報を含むか否かを判断することを特徴とする上記（１５）に記載の制御方法。
【発明の効果】
【００２８】
本発明によれば、次の画像が機密情報を含み、かつ電池残量が所定量を満たさないとき、上記次の画像を表示しないので、機密情報を含む画像が消去できなくなりセキュリティ上の問題が生じることを防止できる。
【図面の簡単な説明】
【００２９】
【図１】本発明の第１の実施形態の表示装置を正面から見た外観図である。
【図２Ａ】本発明の第１の実施形態の表示装置の全体構成を示す概略ブロック図である。
【図２Ｂ】図２Ａに示すシステム制御部の構成を示す概略ブロック図である。
【図３】図２Ａに示す表示部の主要部の構造を示す断面図である。
【図４】本発明の第１の実施形態の制御方法について説明するためのフローチャートである。
【図５】ページ単位で電池残量を算出する処理を説明するためのフローチャートである。
【図６】機密情報を含む画像を消去する処理を説明するためのフローチャートである。
【図７Ａ】本発明の第２の実施形態の制御方法について説明するためのフローチャートである。
【図７Ｂ】本発明の第２の実施形態の制御方法について説明するためのフローチャートである。
【図７Ｃ】本発明の第２の実施形態において警告を画像に合成する方法を例示するための模式図である。
【図８Ａ】本発明の第３の実施形態の制御方法について説明するためのフローチャートである。
【図８Ｂ】本発明の第３の実施形態の制御方法について説明するためのフローチャートである。
【図９】本発明の第３の実施形態における更新判断の警告を表示する処理について説明するためのフローチャートである。
【図１０Ａ】本発明の第４の実施形態の制御方法について説明するためのフローチャートである。
【図１０Ｂ】本発明の第４の実施形態の制御方法について説明するためのフローチャートである。
【図１１】ファイル単位で電池残量を算出する処理について説明するためのフローチャートである。
【図１２】本発明の第４の実施形態における更新判断の警告を表示する処理について説明するためのフローチャートである。
【図１３】図１に示すステータスバーに表示される電池残量アイコンを説明するための図である。
【図１４】図１に示すステータスバーに表示される電池残量アイコンを説明するための図である。
【発明を実施するための形態】
【００３０】
（第１の実施形態）
以下、添付した図面を参照して本発明の第１の実施形態の表示装置、その制御プログラム、および制御方法の実施形態を説明する。なお、図中、同一の部材には同一の符号を用いた。
【００３１】
図１は本発明の第１の実施形態の表示装置を正面から見た外観図であり、図２Ａは本発明の第１の実施形態の表示装置の全体構成を示す概略ブロック図であり、図２Ｂは図２Ａに示すシステム制御部の構成を示す概略ブロック図である。また、図３は、図２Ａに示す表示部の主要部の構造を示す断面図である。
【００３２】
図１に示すとおり、本実施形態では、表示装置１００としてケース部材１にタッチパネル２および操作ボタン３が備えられたタブレット型端末を例示して説明する。ユーザーは、表示装置１００を操作して所望の画像を選択する。選択された画像は、タッチパネル２の画像領域ＩＡに表示され、ユーザーは上記画像を閲覧することができる。
【００３３】
また、タッチパネル２には、表示装置１００をユーザーが操作するためのコントロールバーＣＢと、表示装置１００に内蔵された電池の残量、電波受信状態、日付・時刻などの情報をユーザーに通知するステータスバーＳＢとが表示される。これらの情報は、電池の残量、電波受信状態、日付・時刻の変化に合わせて適宜更新される。
【００３４】
とくに、本実施形態では、表示装置１００は、電気泳動方式の電子ペーパーを備えているので、画像の更新による消費電力を無視できない。このような事情に鑑みて、本実施形態では、電池の残量が１％変化したタイミングでステータスバーＳＢの表示を更新する構成としている。また、ユーザーは、操作ボタン３を使用して表示装置１００に情報を入力できる。
【００３５】
本実施形態では、画像領域ＩＡ、コントロールバーＣＢ、およびステータスバーＳＢは、表示装置１００の画面を構成する。
【００３６】
図２Ａに示すとおり、本実施形態の表示装置１００は、通信部１０、操作部２０、電源ユニット３０、電源状態監視部４０、表示部５０、表示処置部６０、およびシステム制御部７０を有する。
【００３７】
通信部１０は、システム制御部７０に通信可能に接続され、システム制御部７０の指示に従って、表示装置１００と表示装置１００の外部との間でデータを無線または有線で送受信する。上記データとしては、たとえばユーザーが表示装置１００を用いて閲覧する文書ファイルのデータなどである。本実施形態では、文書ファイルは、テキスト形式のファイル、文書作成ソフトによって作成されたファイル、描画ソフトによって作成されたファイルなどを含む。また、文書ファイルは、テキスト形式および画像形式の機密情報を含みうる。文書ファイルにおける機密情報の存在または所在を示すため、文書ファイルには、機密情報が含まれるページなどについての属性情報が付加されうる。あるいは、文書ファイルの機密情報が含まれる部分に特定のタグを付加する構成とすることもできる。
【００３８】
操作部２０は、システム制御部７０に通信可能に接続され、表示装置１００に対するユーザーからの操作入力を受け付ける。操作部２０は、タッチパネル２および操作ボタン３を含む。ユーザーは、タッチパネル２または操作ボタン３を操作して、タッチパネル２に表示されている画像を次の画像に更新するようにシステム制御７０に指示したり、表示装置１００の各種設定などを入力したりすることができる。操作部２０は、更新受付手段として機能する。
【００３９】
電源ユニット３０は、表示装置１００の各部に電力を供給する。電源ユニット３０は、表示装置１００を持ち運びやすくする観点から、電源として電池３１を備える。電池３１は、たとえばアルカリ蓄電池、リチウムイオン電池などの二次電池であることが好ましい。
【００４０】
電源状態監視部４０は、電源ユニット３０の端子電圧の状態を監視し、システム制御部７０に伝達する。より具体的には、システム制御部７０は、ユーザーから画像の更新指示を受けると、電源ユニット３０の端子電圧を測定するように電源状態監視部４０に指示する。電源状態監視部４０は電圧計を有し、システム制御部７０の指示にしたがって、電源ユニット３０の端子電圧を測定し、システム制御部７０に伝達する。システム制御部７０は、たとえば、測定された上記端子電圧に基づいて電池の端子電圧の変化を検出し、予め求められている電池の放電曲線を使用して電源ユニット３０の電池残量を算出する。電池の端子電圧に基づいて電池残量を算出する方法は、公知であるので詳細な説明を省略する。
【００４１】
また、電池残量の算出は、上述のように電源ユニット３０の端子電圧を測定して当該端子電圧に基づいて算出する場合に限定されず、公知の他の方法によっても実現可能である。
【００４２】
たとえば、電池残量は、電流積算方式によっても算出されうる。電流積算方式では、電源状態監視部４０は電流計を有し、システム制御部７０の指示にしたがって、電源ユニット３０に流入する電流と電源ユニット３０から流出する電流とを測定し、システム制御部７０に伝達する。システム制御部７０は、電池を完全に放電させた状態から電池を完全に充電するまでの電流の積分値と、電池を完全に充電させた状態から放電が終了するまでの電流の積分値とに基づいて放電容量を算出する。そして、上記放電容量から、ある時点までに電池から流れ出た電流の積分値を差し引くことにより、その時点の電池残量を算出することができる。
【００４３】
表示部５０は、表示手段として機能し、システム制御部７０によって生成される画像データに基づいて画像を表示する。表示部５０は、タッチパネル２を含む。画像は、タッチパネル２の画像領域ＩＡに表示される。
【００４４】
表示部５０は、主に電子ペーパーに使用される電気泳動方式の表示部であり、既に表示されている画像の表示を維持するために電力を必要とせず、次の画像に表示を更新するときに電力を必要とする。
【００４５】
本実施形態では、更新とは、現在の画像を次の画像に切り替えること、および現在の画像を消去することの両方を含む。画像の消去は、画像データの画素値を白色に対応する値で上書きしたのちに更新することによってなされる。したがって、画像を消去するには画像を次の画像に更新するときと同量の電力を消費する。
【００４６】
図３を参照して、表示部５０の主要部の構造について以下に詳細に説明する。表示部５０は、支持層５１、背面電極５２、接着層５３、透明電極５４、表面層５５、およびマイクロカプセル５６を有する。マイクロカプセル５６は、黒色顔料５６ａおよび白色顔料５６ｂを有する。
【００４７】
表示部５０は、負電荷を帯びた黒色顔料５６ａ及び正電荷を帯びた白色顔料５６ｂがオイル等の透明分散媒とともに封入されたマイクロカプセル５６による電気泳動方式の表示技術を採用している。
【００４８】
表面層５５は、ＰＥＴ（Ｐｏｌｙｅｔｈｙｌｅｎｅ  Ｔｅｒｅｐｈｔｈａｌａｔｅ）フィルム等の透明な材料からなる前面基板であり、その背面側にはＩＴＯ（Ｉｎｄｉｕｍ  Ｔｉｎ  Ｏｘｉｄｅ）等の透明な電導膜からなる透明電極５４が配置されている。また、支持層５１はポリイミドフィルム等の絶縁性を有する材料からなる背面基板であり、その前面側には個々のマイクロカプセル５６に対応する微小な金属板からなる背面電極（セグメント電極）５２が配置されている。
【００４９】
そして、個々の背面電極５２と透明電極５４との間には前述のマイクロカプセル５６が配置されており、個々のマイクロカプセル５６は接着層５３を介して個々の背面電極５２と接合されている。このように２枚の電極板５２，５４を介して前面基板（表面層５５）と背面基板（支持層５１）との間の空間に２次元的に配置された多数のマイクロカプセル５６が表示部５０の表示領域を形成している。
【００５０】
このように配置されたマイクロカプセル５６による表示原理は次の通りである。一のマイクロカプセル５６に対応する背面電極５２に正電位が与えられると、負電荷を帯びた黒色顔料５６ａが背面電５２側に移動するとともに正電荷を帯びた白色顔料５６ｂが透明電極５４側に移動するので、当該マイクロカプセル５６は表示領域の前面側から見て白色を表示することになる。
【００５１】
同様に、一のマイクロカプセル５６に対応する背面電極５２に負電位が与えられると、正電荷を帯びた白色顔料５６ｂが背面電極５２側に移動するとともに負電荷を帯びた黒色顔料５６ａが透明電極５４側に移動するので、当該マイクロカプセル５６は表示領域の前面側から見て黒色を表示することになる。
【００５２】
表示処置部６０は、システム制御部７０から画像データを受信し、システム制御部７０の指示にしたがって、表示部５０に画像を表示するための制御を実行する。
【００５３】
システム制御部７０は、制御手段として機能し、通信部１０、操作部２０、電源状態監視部４０、および表示処置部６０を制御する。図２Ｂに示すとおり、システム制御部７０は、ＨＤＤ（Ｈａｒｄ  Ｄｉｓｋ  Ｄｒｉｖｅ）７１、ＲＡＭ（Ｒａｎｄｏｍ  Ａｃｃｅｓｓ  Ｍｅｍｏｒｙ）７２、およびＲＯＭ（Ｒｅａｄ  Ｏｎｌｙ  Ｍｅｍｏｒｙ）７３、タイマー７４、およびＣＰＵ（Ｃｅｎｔｒａｌ  Ｐｒｏｃｅｓｓｉｎｇ  Ｕｎｉｔ）７５を有し、これらの各構成要素は内部バス７６により相互に通信可能に接続されている。
【００５４】
ＨＤＤ７１は、表示プログラムＤＰ、制御プログラムＣＰ、図示しないＯＳ（Ｏｐｅｒａｔｉｎｇ  Ｓｙｓｔｅｍ）などの各種ソフトウェアと、文書ファイルＤＦなどのデータファイルとを保存する。表示プログラムＤＰは文書ファイルＤＦをラスタライズして上記画像データを生成するソフトウェア・プログラムであり、制御プログラムＣＰは本実施形態の制御方法を実現するための処理手順を記述したソフトウェア・プログラムである。
【００５５】
ＲＡＭ７２は、上記各種ソフトウェア、上記画像データ、ＣＰＵ７５が表示プログラムＤＰおよび制御プログラムＣＰを実行した際の演算結果などを一時的に保存する。
【００５６】
ＲＯＭ７３は、ＣＰＵ７５が表示プログラムＤＰおよび制御プログラムＣＰを実行する際に使用する各種パラメータなどを記憶している。
【００５７】
タイマー７４は、画像が表示部５０に表示されている時間を計時する。タイマー７４は、たとえばＲＴＣ（Ｒｅａｌ  Ｔｉｍｅ  Ｃｌｏｃｋ）を備える。
【００５８】
ＣＰＵ７５は、表示プログラムＤＰを実行することにより、ＨＤＤ７１に保存されている文書ファイルＤＦをラスタライズして画像データを生成し、ＲＡＭ７２に保存する。また、ＣＰＵ７５は、制御手段として機能し、制御プログラムＣＰを実行することにより、本実施形態の制御方法を実現する。
【００５９】
以下、図４〜図６を参照して、本実施形態の制御方法についてより詳しく説明する。図４は本実施形態の制御方法について説明するためのフローチャートであり、図５はページ単位で電池残量を算出する処理を説明するためのフローチャートである。また、図６は機密情報を含む画像を消去する処理を説明するためのフローチャートである。
【００６０】
図４に示すとおり、まず、画像の更新指示があったか否かを判断する（ステップＳ１０１）。システム制御部７０は、表示部５０に表示されている現在の画像（第１の画像）を次の画像（第２の画像）に更新する指示があったか否かを判断する。画像を更新する指示は、ユーザーが、たとえばタッチパネル２のコントロールバーＳＢ、操作ボタン３などを操作することによりなされる。
【００６１】
画像の更新指示がなかった場合（ステップＳ１０１：ＮＯ）、ページ単位で電池残量を算出する（ステップＳ１０２）。そして、表示中の機密情報を含む画像を消去し（ステップＳ１０３）、処理を終了する（エンド）。以下、図５を参照して、ページ単位で電池残量を算出する処理について詳しく説明する。その後、図６を参照して、表示中の機密情報を含む画像を消去する処理について詳しく説明する。
【００６２】
図５に示すとおり、まず、電池３１の端子電圧を測定する（ステップＳ２０１）。具体的には、システム制御部７０は、電源状態監視部４０に電源ユニット３０の電池３１の端子電圧を測定するように指示する。電源状態監視部４０は、システム制御部７０の指示に従って電源ユニット３０の電池３１の端子電圧を測定する。
【００６３】
次に、電圧判断レベルを算出する（ステップＳ２０２）。電圧判断レベルは、電池３１の残量を判断するための判断レベル（残量判断レベル）である。システム制御部７０は、画像を１回更新するのに必要な電力量に基づいて、電圧判断レベルＶＡ、ＶＢ、ＶＣ、およびＶＤを算出する。ＶＡ、ＶＢ、ＶＣ、およびＶＤの大小関係は、ＶＡ＜ＶＢ＜ＶＣ＜ＶＤである。ＶＡは画像を１回更新するのに必要な電圧であり、ＶＢは画像を２回更新するのに必要な電圧であり、ＶＣは画像を３回更新するのに必要な電圧であり、ＶＤは画像を４回以上更新するのに必要な電圧である。
【００６４】
次に、電池３１の端子電圧がＶＤボルト以上であるか否か判断する（ステップＳ２０３）。電池３１の端子電圧がＶＤボルト以上である場合（ステップＳ２０３：ＹＥＳ）、電源の残量を表す量としての電圧レベルをレベル４に設定する（ステップＳ２０４）。そして、電圧レベルを記憶（ステップＳ２１２）し、ページ単位で電池残量を算出する処理を終了する（リターン）。システム制御部７０は、設定された電圧レベルをＲＡＭ７２に保存する。
【００６５】
一方、電池３１の端子電圧がＶＤボルト以上ではない場合（ステップＳ２０３：ＮＯ）、電池３１の端子電圧がＶＤボルト未満でＶＣボルト以上であるか否か判断する（ステップＳ２０５）。電池３１の端子電圧がＶＤボルト未満でＶＣボルト以上である場合（ステップＳ２０５：ＹＥＳ）、電圧レベルをレベル３に設定する（ステップＳ２０６）。そして、電圧レベルを記憶（ステップＳ２１２）し、ページ単位で電池残量を算出する処理を終了する（リターン）。
【００６６】
一方、電池３１の端子電圧がＶＤボルト未満でＶＣボルト以上ではない場合（ステップＳ２０５：ＮＯ）、電池３１の端子電圧がＶＣボルト未満でＶＢボルト以上であるか否か判断する（ステップＳ２０７）。電池３１の端子電圧がＶＣボルト未満でＶＢボルト以上である場合（ステップＳ２０７：ＹＥＳ）、電圧レベルをレベル２に設定する（ステップＳ２０８）。そして、電圧レベルを記憶（ステップＳ２１２）し、ページ単位で電池残量を算出する処理を終了する（リターン）。
【００６７】
一方、電池３１の端子電圧がＶＣボルト未満でＶＢボルト以上ではない場合（ステップＳ２０７：ＮＯ）、電池３１の端子電圧がＶＢボルト未満でＶＡボルト以上であるか否か判断する（ステップＳ２０９）。電池３１の端子電圧がＶＢボルト未満でＶＡボルト以上である場合（ステップＳ２０９：ＹＥＳ）、電圧レベルをレベル１に設定する（ステップＳ２１０）。そして、電圧レベルを記憶（ステップＳ２１２）し、ページ単位で電池残量を算出する処理を終了する（リターン）。
【００６８】
一方、電池３１の端子電圧がＶＢボルト未満でＶＡボルト以上ではない場合（ステップＳ２０９：ＮＯ）、電圧レベルをレベル０に設定する（ステップＳ２１１）。そして、電圧レベルを記憶（ステップＳ２１２）し、ページ単位で電池残量を算出する処理を終了する（リターン）。
【００６９】
このように、ページ単位で電池残量を算出する処理において、電池３１の端子電圧と電圧レベルとの関係は下記の表１に示すとおりである。また、表１には、各電圧レベルにおいて画像を更新できる回数についても示されている。たとえば、電池３１の端子電圧がＶＡボルト未満である場合、電圧レベルはレベル０であり、画像を更新することはできない。電池３１の端子電圧がＶＡボルト以上ＶＢボルト未満である場合、電圧レベルはレベル１であり、画像を１回更新することができる。
【００７０】
【表１】
2014174461.tif 000003
【００７１】
次に、図６を参照して、表示中の機密情報を含む画像を消去する処理の詳細について説明する。電池残量は、画像を更新するために必要とする電力以外にも他の機能が電力を消費することで低下するほか、電池３１の自然放電などによっても徐々に低下する。
【００７２】
したがって、現在表示されている画像が機密情報を含む場合、電池残量の低下により画像を消去できなくなることを回避するため、画像を長時間にわたり表示されたままにせずに所定時間経過したら消去することが望ましい。本実施形態では、電圧レベルがレベル１までに低下した場合、すなわち画像を１回更新できるのに必要な電圧まで電池３１の端子電圧が低下した場合、現在表示されている画像が機密画像を含むときは消去する。具体的には、以下のとおりである。
【００７３】
図６に示すとおり、まず、タイマー７４がスタートしてから所定時間が経過したか否かを判断する（ステップＳ３０１）。所定時間は、たとえば３０秒程度である。タイマー７４がスタートしてから所定時間が経過していない場合（ステップＳ３０１：ＮＯ）、システム制御部７０は、表示中の機密情報を含む画像を消去する処理を終了する（リターン）。
【００７４】
一方、タイマー７４がスタートしてから所定時間が経過した場合（ステップＳ３０１：ＹＥＳ）、タイマー７４を再スタートする（ステップＳ３０２）。
【００７５】
次に、電圧レベルがレベル１か否かについて判断する（ステップＳ３０３）。電圧レベルがレベル１ではない場合（ステップＳ３０３：ＮＯ）、システム制御部７０は、表示中の機密情報を含む画像を消去する処理を終了する（リターン）。
【００７６】
一方、電圧レベルがレベル１である場合（ステップＳ３０３：ＹＥＳ）、機密情報を含む画像を表示中であるか否かを判断する（ステップＳ３０４）。機密情報を含む画像を表示中ではない場合（ステップＳ３０４：ＮＯ）、システム制御部７０は、表示中の機密情報を含む画像を消去する処理を終了する（リターン）。
【００７７】
一方、機密情報を含む画像を表示中である場合（ステップＳ３０４：ＹＥＳ）、表示中の画像を消去する（ステップＳ３０５）。そして、システム制御部７０は、表示中の機密情報を含む画像を消去する処理を終了する（リターン）。
【００７８】
再び図４に戻り、画像の更新指示があった場合（ステップＳ１０１：ＹＥＳ）、ページ単位で電池残量を算出する（ステップＳ１０４）。ページ単位で電池残量を算出する処理については上述したとおりであるので説明を省略する。
【００７９】
次に、電圧レベルがレベル０か否かについて判断する（ステップＳ１０５）。電圧レベルがレベル０である場合（ステップＳ１０５：ＹＥＳ）、処理を終了する（エンド）。
【００８０】
一方、電圧レベルがレベル０ではない場合（ステップＳ１０５：ＮＯ）、電圧レベルがレベル１か否かについて判断する（ステップＳ１０６）。電圧レベルがレベル１ではない場合（ステップＳ１０６：ＮＯ）、次の画像に更新する（ステップＳ１０７）。この場合、電圧レベルはレベル２以上、すなわち少なくとも２回画像を更新できるので、システム制御部７０は、次の画像が機密情報を含むか含まないかの如何に拘らず、次の画像に更新する。具体的には、システム制御部７０は、表示部５０に表示されるべき次の画像に対応する画像データを表示処理部６０に送信する。表示処理部６０は、表示部５０が次の画像を表示するように制御する。そして、システム制御部７０は、処理を終了する（エンド）。
【００８１】
一方、電圧レベルがレベル１である場合（ステップＳ１０６：ＹＥＳ）、次の画像が機密情報を含むか否かを判断する（ステップＳ１０８）。次の画像が機密情報を含まない場合（ステップＳ１０８：ＮＯ）、次の画像に表示を更新し（ステップＳ１０７）、処理を終了する（エンド）。この場合、電圧レベルはレベル１であるため１回画像を更新できるので、システム制御部７０は、次の画像が機密情報を含まないのであれば、次の画像に表示を更新する。システム制御部７０は、文書ファイルＤＦの上記属性情報を参照するか、あるいは文書ファイルＤＦに付加された上記特定のタグを認識して、上記次の画像に対応するページに機密情報が含まれているか否かを判断する。
【００８２】
一方、次の画像が機密情報を含む場合（ステップＳ１０８：ＹＥＳ）、現在の画像が機密情報を含むか否かを判断する（ステップＳ１０９）。現在の画像が機密情報を含まない場合（ステップＳ１０９：ＮＯ）、システム制御部７０は、処理を終了する（エンド）。現在の画像は機密情報を含まないので、この後、画像を更新できなくなったとしても差支えない。したがって、システム制御部７０は、現在の画像を維持する。
【００８３】
一方、現在の画像が機密情報を含む場合（ステップＳ１０９：ＹＥＳ）、現在の画像を消去し（ステップＳ１１１）、システム制御部７０は、処理を終了する（エンド）。現在の画像は機密情報を含むので、消せなくなるとセキュリティ上の問題となりうる。システム制御部７０は、セキュリティ上の問題となることを回避するため、現在の画像を消去する。
【００８４】
以上で説明した図４に示す制御方法では、ページ単位で電池残量を算出する。まず、電池残量を表す量としての電圧レベルがレベル１（第１所定残量）以下であるか否かを判断し、表示部５０に表示されている第１の画像の次に表示する第２の画像が機密情報を含むか否かを判断する。そして、上記第２の画像が機密情報を含み、かつ、電圧レベルがレベル１以下である場合、上記第２の画像を表示部５０に表示しないように制御する。
【００８５】
以上で説明した本実施形態の表示装置１００およびその制御方法は、以下の効果を奏する。
【００８６】
本実施形態の表示装置１００は、表示部５０に表示されている第１の画像の次に表示する第２の画像が機密情報を含み、かつ電池残量が所定量を満たさないとき、上記第２の画像を表示部５０に表示しない。したがって、機密情報を含む画像が消去できなくなりセキュリティ上の問題が生じることが防止される。
【００８７】
（第２の実施形態）
第１の実施形態では、次に表示する画像が機密情報を含み、かつ、電圧レベルがレベル１以下である場合、上記画像を表示しないように制御することについて説明した。第２の実施形態では、第１の実施形態の構成に加えて、表示されている画像を消せなくなる旨の警告を電池残量に応じて表示する場合について説明する。なお、本実施形態は、表示された画像を消せなくなる旨の警告を電池残量に応じて表示する構成を除いては、第１の実施形態と同様の構成を有する。説明の重複を避けるため、第１の実施形態と同じ構成については説明を省略する。
【００８８】
以下、図７Ａ〜図７Ｃを参照して、本実施形態の制御方法について詳しく説明する。図７Ａおよび図７Ｂは本実施形態の制御方法について説明するためのフローチャートであり、図７Ｃは本実施形態において警告を画像に合成する方法を例示するための模式図である。
【００８９】
図７Ａに示すとおり、まず、画像の更新指示があったか否かを判断する（ステップＳ４０１）。システム制御部７０は、表示部５０に表示された現在の画像（第１の画像）を次の画像（第２の画像）に更新する指示があったか否かを判断する。
【００９０】
画像の更新指示がなかった場合（ステップＳ４０１：ＮＯ）、システム制御部７０は、ページ単位で電池残量を算出する（ステップＳ４０２）。そして、システム制御部７０は、表示中の機密情報を含む画像を消去し（ステップＳ４０３）、処理を終了する（エンド）。ページ単位で電池残量を算出する処理および表示中の機密情報を含む画像を消去する処理については、第１の実施形態と同じであるので、説明を省略する。
【００９１】
一方、画像の更新指示があった場合（ステップＳ４０１：ＹＥＳ）、ページ単位で電池残量を算出する（ステップＳ４０４）。ページ単位で電池残量を算出する処理については、第１の実施形態と同じであるので、説明を省略する。
【００９２】
次に、電圧レベルがレベル０か否かについて判断する（ステップＳ４０５）。電圧レベルがレベル０である場合（ステップＳ４０５：ＹＥＳ）、システム制御部７０は、処理を終了する（エンド）。
【００９３】
一方、電圧レベルがレベル０ではない場合（ステップＳ４０５：ＮＯ）、電圧レベルがレベル１か否かについて判断する（ステップＳ４０６）。
【００９４】
電圧レベルがレベル１ではない場合（ステップＳ４０６：ＮＯ）、電圧レベルがレベル２か否かについて判断する（ステップＳ４０７）。電圧レベルがレベル２ではない場合（ステップＳ４０７：ＮＯ）、システム制御部７０は、次の画像に更新する（ステップＳ４０８）。そして、システム制御部７０は、処理を終了する（エンド）。この場合、電圧レベルはレベル３以上、すなわち少なくとも３回画像を更新できるので、システム制御部７０は、次の画像が機密情報を含むか含まないかの如何に拘らず、次の画像に更新する。
【００９５】
一方、電圧レベルがレベル２である場合（ステップＳ４０７：ＹＥＳ）、システム制御部７０は、表示更新をあと１回すると表示を消せなくなる旨の警告を画像に合成する（ステップＳ４０９）。具体的には、システム制御部７０は、合成する前の元の画像の画像データを編集して、警告の文字列が画像の所定の位置にくるように挿入する。たとえば、図７Ｃに示すとおり、合成する前の元の画像に警告を合成すると警告が合成後の画像の一部となる。そして、システム制御部７０は、次の画像に更新（ステップＳ４０８）したのち、処理を終了する（エンド）。この場合、電圧レベルはレベル２、すなわち２回画像を更新できるので、システム制御部７０は、次の画像が機密情報を含むか含まないかの如何に拘らず、表示更新をあと１回すると表示を消せなくなる旨の警告を画像に合成した上で次の画像に更新する。
【００９６】
一方、電圧レベルがレベル１である場合（ステップＳ４０６：ＹＥＳ）、システム制御部７０は、次の画像が機密情報を含むか否かを判断する（ステップＳ４１０）。次の画像が機密情報を含まない場合（ステップＳ４１０：ＮＯ）、システム制御部７０は、これ以上画像を更新できない旨の警告を合成する（ステップＳ４１１）。そして、システム制御部７０は、次の画像に更新（ステップＳ４０８）し、処理を終了する（エンド）。電圧レベルはレベル１であるため１回画像を更新できるので、システム制御部７０は、次の画像が機密情報を含まないのであれば、これ以上画像を更新できない旨の警告を合成した上で次の画像に更新する。
【００９７】
一方、次の画像が機密情報を含む場合（ステップＳ４１０：ＹＥＳ）、現在の画像が機密情報を含むか否かを判断する（ステップＳ４１２）。現在の画像が機密情報を含まない場合（ステップＳ４１２：ＮＯ）、これ以上画像を更新できない旨の警告を合成する（ステップＳ４１３）。そして、システム制御部７０は、現在の画像に更新（ステップＳ４１４）し、処理を終了する（エンド）。
【００９８】
一方、現在の画像が機密情報を含む場合（ステップＳ４１２：ＹＥＳ）、現在の画像を消去し（ステップＳ４１５）、処理を終了する（エンド）。現在の画像は機密情報を含むので、消せなくなるとセキュリティ上の問題となりうる。システム制御部７０は、セキュリティ上の問題となることを回避するため、現在の画像を消去する。
【００９９】
以上で説明した図７Ａおよび図７Ｂに示す処理では、ページ単位で電池残量を算出する。まず、電圧レベルがレベル１以下であるか否かを判断し、表示部５０に表示されている第１の画像の次に表示する第２の画像が機密情報を含むか否かを判断する。そして、上記第２画像が機密情報を含み、かつ、電圧レベルがレベル１以下である場合、上記第２の画像を表示部５０に表示しないように制御する。
【０１００】
また、電圧レベルがレベル１で上記第２の画像が機密情報を含まない場合、これ以上更新できない旨の警告を上記第２の画像に合成し、当該第２の画像に更新する。また、電圧レベルがレベル１で上記第２の画像が機密情報を含み、かつ上記第１の画像が機密情報を含ない場合、これ以上更新できない旨の警告を上記第１の画像に合成し、当該第１の画像に更新する。
【０１０１】
さらに、電圧レベルがレベル２の場合、あと１回更新したら表示が消せない旨の警告を上記第２の画像に合成し、当該第２の画像に更新する。
【０１０２】
なお、警告を表示する際、画像の全体を更新するように構成してもよいし、あるいは警告を表示する領域のみ更新するように構成してもよい。
【０１０３】
また、画像の更新指示を受けて警告を上記画像に合成して表示したのち、表示中の機密情報を含む画像を消去する処理を実行する場合、タイマー７４が計時する上記所定時間が短すぎると、ユーザーが内容を理解する前に警告が消去されてしまう虞がある。したがって、ユーザーが内容を理解するのに十分な時間だけ警告が表示されるように上記所定時間を設定することが好ましい。
【０１０４】
以上で説明した本実施形態の表示装置１００およびその制御方法は、第１の実施形態の効果に加えて、以下の効果を奏する。
【０１０５】
本実施形態の表示装置１００は、電池残量に応じて、警告を画像に合成して表示部５０に表示するので、ユーザーは上記警告により画像の更新の可否を知ることができる。
【０１０６】
（第３の実施形態）
第２の実施形態では、表示された画像を消せなくなる旨の警告を電池残量に応じて表示する場合について説明した。第３の実施形態では、表示更新をするか否かの警告を表示し、それに対するユーザーの指示を受け付ける場合について説明する。なお、本実施形態の表示装置は、表示更新をするか否かの警告を表示し、それに対するユーザーの指示を受け付ける構成を除いては第２の実施形態の表示装置と同様の構成を有する。説明の重複を避けるため、第２の実施形態と同じ構成については説明を省略する。
【０１０７】
以下、図８Ａ、図８Ｂ、および図９を参照して、本実施形態の制御方法についてより詳しく説明する。図８Ａおよび図８Ｂは本実施形態の制御方法について説明するためのフローチャートである。また、図９は、本実施形態における更新判断の警告を表示する処理について説明するためのフローチャートである。
【０１０８】
図８Ａに示すとおり、まず、画像の更新指示があったか否かを判断する（ステップＳ５０１）。システム制御部７０は、表示部５０に表示された現在の画像（第１の画像）を次の画像（第２の画像）に更新する指示があったか否かを判断する。
【０１０９】
画像の更新指示がなかった場合（ステップＳ５０１：ＮＯ）、システム制御部７０は、ページ単位で電池残量を算出する（ステップＳ５０２）。そして、システム制御部７０は、表示中の機密情報を含む画像を消去し（ステップＳ５０３）、処理を終了する（エンド）。ページ単位で電池残量を算出する処理および表示中の機密情報を含む画像を消去する処理については、第１の実施形態と同じであるので、説明を省略する。
【０１１０】
一方、画像の更新指示があった場合（ステップＳ５０１：ＹＥＳ）、システム制御部７０は、ページ単位で電池残量を算出する（ステップＳ５０４）。ページ単位で電池残量を算出する処理については、第１の実施形態と同じであるので、説明を省略する。
【０１１１】
次に、電圧レベルがレベル０か否かについて判断する（ステップＳ５０５）。電圧レベルがレベル０である場合（ステップＳ５０５：ＹＥＳ）、システム制御部７０は、処理を終了する（エンド）。
【０１１２】
一方、電圧レベルがレベル０ではない場合（ステップＳ５０５：ＮＯ）、システム制御部７０は、電圧レベルがレベル１か否かについて判断する（ステップＳ５０６）。
【０１１３】
電圧レベルがレベル１ではない場合（ステップＳ５０６：ＮＯ）、システム制御部７０は、電圧レベルがレベル２か否かについて判断する（ステップＳ５０７）。電圧レベルがレベル２ではない場合（ステップＳ５０７：ＮＯ）、システム制御部７０は、電圧レベルがレベル３か否かについて判断する（ステップＳ５０８）。電圧レベルがレベル３はない場合（ステップＳ５０８：ＮＯ）、システム制御部７０は、次の画像に更新し（ステップＳ５０９）、処理を終了する（エンド）。この場合、電圧レベルはレベル４以上、すなわち少なくとも４回画像を更新できるので、システム制御部７０は、次の画像が機密情報を含むか含まないかの如何に拘らず、次の画像に更新する。
【０１１４】
一方、電圧レベルがレベル３である場合（ステップＳ５０８：ＹＥＳ）、システム制御部７０は、更新判断の警告を表示し（ステップＳ５１０）、処理を終了する（エンド）。更新判断の警告を表示する処理については後述する。
【０１１５】
一方、電圧レベルがレベル２である場合（ステップＳ５０７：ＹＥＳ）、システム制御部７０は、表示更新をあと１回すると画像を消せなくなる旨の警告を画像に合成する（ステップＳ５１１）。そして、システム制御部７０は、次の画像に更新し（ステップＳ５０９）、処理を終了する（エンド）。
【０１１６】
一方、電圧レベルがレベル１である場合（ステップＳ５０６：ＹＥＳ）、システム制御部７０は、次の画像が機密情報を含むか否かを判断する（ステップＳ５１２）。次の画像が機密情報を含まない場合（ステップＳ５１２：ＮＯ）、システム制御部７０は、これ以上画像を更新できない旨の警告を合成する（ステップＳ５１３）。そして、システム制御部７０は、次の画像に更新（ステップＳ５０９）し、処理を終了する（エンド）。
【０１１７】
一方、次の画像が機密情報を含む場合（ステップＳ５１２：ＹＥＳ）、システム制御部７０は、現在の画像が機密情報を含むか否かを判断する（ステップＳ５１４）。現在の画像が機密情報を含まない場合（ステップＳ５１４：ＮＯ）、システム制御部７０は、これ以上画像を更新できない旨の警告を合成する（ステップＳ５１５）。そして、現在の画像に更新（ステップＳ５１６）し、処理を終了する（エンド）。
【０１１８】
一方、現在の画像が機密情報を含む場合（ステップＳ５１４：ＹＥＳ）、システム制御部７０は、現在の画像を消去し（ステップＳ５１７）、処理を終了する（エンド）。
【０１１９】
以下、図９を参照して、更新判断の警告を表示する処理の詳細について説明する。図９に示すとおり、まず、画像を更新すると消せなくなる可能性が高い旨の警告を現在の画像に合成する（ステップＳ６０１）。システム制御部７０は、表示処理部６０に対して、たとえば「表示を更新すると消せなくなる可能性が高いです。更新しますか？＜はい＞＜いいえ＞」という警告の文字列を現在の画像に合成する。そして、現在の画像に更新する（ステップＳ６０２）。
【０１２０】
次に、表示更新について操作があったか否かを判断する（ステップＳ６０３）。表示更新について操作がない場合、システム制御部７０は、表示更新について操作があるまで待機する。一方、表示更新について操作があった場合（ステップＳ６０３：ＹＥＳ）、「はい」が選択されたか否かを判断する（ステップＳ６０４）。より具体的には、システム制御部７０は、たとえば操作部２０のタッチパネル２が操作され、かつ、警告の「はい」に対応する部分が選択されたか否かを判断する。「はい」が選択された場合（ステップＳ６０４：ＹＥＳ）、画像を消せない可能性が高い旨の警告を次の画像に合成する（ステップＳ６０５）。そして、次の画像に更新（ステップＳ６０６）し、更新判断の警告を表示する処理を終了する（リターン）。
【０１２１】
一方、「はい」が選択されなかった場合（ステップＳ６０４：ＮＯ）、合成された警告を解除する（ステップＳ６０７）。すなわち、現在の画像から「表示を更新すると消せなくなる可能性が高いです。更新しますか？＜はい＞＜いいえ＞」という警告を削除する。そして、現在の画像に更新（ステップＳ６０８）し、更新判断の警告を表示する処理を終了する（リターン）。
【０１２２】
このように、更新判断の警告を表示する処理において、画像を更新すると消せなくなる可能性が高い旨の警告を表示するために画像を１回更新し、表示更新についての操作入力に伴う警告表示または警告消去で画像をもう１回更新する。そして、表示更新についての操作入力でユーザーが「はい」を選択して、機密情報を含む画像を表示させた場合、上記画像を消去するには画像を１回更新するのに必要な電力をさらに必要とする。すなわち、更新判断の警告を表示する処理を実行するには、電圧レベルがレベル３以上必要である。
【０１２３】
以上で説明した図８Ａおよび図８Ｂに示す処理では、ページ単位で電池残量を算出する。まず、電圧レベルがレベル１以下であるか否かを判断し、表示部５０に表示されている第１の画像の次に表示する第２の画像が機密情報を含むか否かを判断する。そして、上記第２の画像が機密情報を含み、かつ、電圧レベルがレベル１以下である場合、上記第２の画像を表示部５０に表示しないように制御する。
【０１２４】
また、電圧レベルがレベル１で上記第２の画像が機密情報を含まない場合、これ以上更新できない旨の警告を合成し、上記第２の画像に更新する。また、電圧レベルがレベル１で上記第２の画像が機密情報を含み、かつ上記第１の画像が機密情報を含ない場合、これ以上更新できない旨の警告を上記第１の画像に合成し、当該第１の画像に更新する。
【０１２５】
また、電圧レベルがレベル２の場合、あと１回更新したら表示が消せない旨の警告を上記第２の画像に合成し、当該第２の画像に更新する。
【０１２６】
さらに、電圧レベルがレベル３の場合、画像を更新すると消せなくなる可能性が高い旨の警告を表示部５０に表示し、表示更新をするか否かについてユーザーの指示を受け付ける。
【０１２７】
以上で説明した本実施形態の表示装置１００およびその制御方法は、第１および第２の実施形態の効果に加えて、以下の効果を奏する。
【０１２８】
本実施形態の表示装置１００は、電圧レベルがレベル３の場合、画像を更新すると消せなくなる可能性が高い旨の警告を表示部５０に表示し、表示更新をするか否かについてユーザーの指示を受け付けるので、ユーザーは表示更新をするか否かについて判断できる。
【０１２９】
（第４の実施形態）
第１〜第３の実施形態では、ページ単位で電池残量を算出し、当該電池残量と次の画像が機密情報を含むか否かに基づいて、次の画像を表示するか否かを判断する場合ついて説明した。第４の実施形態では、ページ単位またはファイル単位で電池残量を算出し、ファイル単位の電池残量と、次の画像が機密情報を含むか否かと、に基づいて、次の画像を表示するか否かを判断する場合について説明する。なお、本実施形態の表示装置は、ページ単位またはファイル単位で電池残量を算出し、ファイル単位の電池残量と、次の画像が機密情報を含むか否かと、に基づいて、次の画像を表示するか否かを判断する構成を除いては第３の実施形態の表示装置と同様の構成を有する。説明の重複を避けるため、第３の実施形態の表示装置と同じ構成については説明を省略する。
【０１３０】
以下、図１０Ａ〜図１４を参照して、本実施形態の制御方法についてより詳しく説明する。図１０Ａおよび図１０Ｂは本実施形態の制御方法について説明するためのフローチャートである。また、図１１はファイル単位で電池残量を算出する処理ついて説明するためのフローチャートであり、図１２は本実施形態における更新判断の警告を表示する処理について説明するためのフローチャートである。図１３および図１４は、図１に示すステータスバーに表示される電池残量アイコンを説明するための図である。
【０１３１】
図１０Ａに示すとおり、まず、画像の更新指示があったか否かを判断する（ステップＳ７０１）。システム制御部７０は、表示部５０に表示された現在の画像（第１の画像）を次の画像（第２の画像）に更新する指示があったか否かを判断する。
【０１３２】
画像の更新指示がなかった場合（ステップＳ７０１：ＮＯ）、システム制御部７０は、ページ単位で電池残量を算出する（ステップＳ７０２）。そして、システム制御部７０は、表示中の機密情報を消去し（ステップＳ７０３）、処理を終了する（エンド）。ページ単位で電池残量を算出する処理および表示中の機密情報を消去する処理については、第１の実施形態と同じであるので、説明を省略する。
【０１３３】
一方、画像の更新指示があった場合（ステップＳ７０１：ＹＥＳ）、システム制御部７０は、ファイル単位で電池残量を算出する（ステップＳ７０４）。ファイル単位で電池残量を算出する処理の詳細については後述する。
【０１３４】
次に、電圧レベルがレベル０’か否かについて判断する（ステップＳ７０５）。電圧レベルがレベル０’である場合（ステップＳ７０５：ＹＥＳ）、システム制御部７０は、処理を終了する（エンド）。
【０１３５】
一方、電圧レベルがレベル０’ではない場合（ステップＳ７０５：ＮＯ）、システム制御部７０は、電圧レベルがレベル１’か否かについて判断する（ステップＳ７０６）。
【０１３６】
電圧レベルがレベル１’ではない場合（ステップＳ７０６：ＮＯ）、システム制御部７０は、電圧レベルがレベル２’か否かについて判断する（ステップＳ７０７）。電圧レベルがレベル２’ではない場合（ステップＳ７０７：ＮＯ）、処理を終了する（エンド）。
【０１３７】
一方、電圧レベルがレベル２’である場合（ステップＳ７０７：ＹＥＳ）、システム制御部７０は、次の画像が機密情報を含むか否かを判断する（ステップＳ７０８）。次の画像が機密情報を含まない場合（ステップＳ７０８：ＮＯ）、システム制御部７０は、処理を終了する。
【０１３８】
一方、次の画像が機密情報を含む場合（ステップＳ７０８：ＹＥＳ）、システム制御部７０は、更新判断の警告を表示し（ステップＳ７０９）、処理を終了する（エンド）。更新判断の警告を表示する処理については後述する。
【０１３９】
一方、電圧レベルがレベル１’である場合（ステップＳ７０６：ＹＥＳ）、システム制御部７０は、次の画像が機密情報を含むか否かを判断する（ステップＳ７１０）。次の画像が機密情報を含まない場合（ステップＳ７１０：ＮＯ）、システム制御部７０は、これ以上画像を更新できない旨の警告を合成する（ステップＳ７１１）。そして、システム制御部７０は、次の画像に更新（ステップＳ７１２）し、処理を終了する（エンド）。
【０１４０】
一方、次の画像が機密情報を含む場合（ステップＳ７１０：ＹＥＳ）、システム制御部７０は、現在の画像が機密情報を含むか否かを判断する（ステップＳ７１３）。現在の画像が機密情報を含まない場合（ステップＳ７１３：ＮＯ）、システム制御部７０は、これ以上画像を更新できない旨の警告を現在の画像に合成する（ステップＳ７１４）。そして、システム制御部７０は、現在の画像に更新（ステップＳ７１５）し、処理を終了する（エンド）。
【０１４１】
一方、現在の画像が機密情報を含む場合（ステップＳ７１３：ＹＥＳ）、システム制御部７０は、現在の画像を消去し（ステップＳ７１６）、処理を終了する（エンド）。
【０１４２】
以下、図１１を参照して、ファイル単位で電池残量を算出する処理についてより詳しく説明する。また、図１２を参照して、本実施形態における更新判断の警告を表示する処理についてより詳しく説明する。
【０１４３】
図１１に示すとおり、まず、電池３１の端子電圧を測定する（ステップＳ８０１）。システム制御部７０は、電源状態監視部４０に指示して電源ユニット３０の電池３１の端子電圧を測定する。
【０１４４】
次に、次の画像を含む文書ファイルＤＦのページ数を取得する（ステップＳ８０２）。より具体的には、システム制御部７０は、ＨＤＤ７１に保存されている次の画像を含む文書ファイルＤＦのページ数を取得する。
【０１４５】
次に、電圧判断レベルを算出する（ステップＳ８０３）。より具体的には、システム制御部７０は、画像が複数ページの文書ファイルＤＦの一部である場合、文書ファイルＤＦのページ数に基づいて電圧判断レベルを算出する。電圧判断レベルは、電池３１の残量を判断するための判断レベルであり、システム制御部７０は、ステップ８０２で取得された上記文書ファイルＤＦのページ数に基づいて、電圧判断レベルとしてＶＡ’、ＶＢ’、ＶＣ’、およびＶＤ’の値を算出する。
【０１４６】
なお、ＶＡ、ＶＢ、ＶＣ、およびＶＤの大小関係は、ＶＡ’＜ＶＢ’＜ＶＣ’＜ＶＤ’である。具体的には、ＶＡ’は文書ファイルＤＦの１ページを更新するのに必要な電圧であり、ＶＢ’は文書ファイルＤＦの全ページの半分を更新するのに必要な電圧であり、ＶＣ’は文書ファイルＤＦの全ページを更新するのに必要な電圧であり、ＶＤ’は、文書ファイルＤＦの全ページ以上更新するのに必要な電圧である。
【０１４７】
したがって、文書ファイルＤＦのページ数が多ければ多いほど、文書ファイルＤＦの全ページまたは全ページの半分を更新するのに必要な電力量は多くなる。システム制御部７０は、文書ファイルＤＦのページ数に応じて、電圧判断レベルを変更する。このように、電圧判断レベルを定めた上で、電池３１の端子電圧に応じて電圧レベルを設定する。
【０１４８】
電池３１の端子電圧がＶＤ’ボルト以上であるか否か判断する（ステップＳ８０４）。電池の端子電圧ＶＤ’ボルト以上である場合（ステップＳ８０４：ＹＥＳ）、電圧レベルをレベル４’に設定する（ステップＳ８０５）。そして、電圧レベルを記憶（ステップＳ８１３）し、ファイル単位で電池残量を算出する処理を終了する（リターン）。電圧レベルは、システム制御部７０のＲＡＭ７２に記憶される。
【０１４９】
一方、電池３１の端子電圧がＶＤ’ボルト以上ではない場合（ステップＳ８０４：ＮＯ）、電池３１の端子電圧がＶＤ’ボルト未満でＶＣ’ボルト以上であるか否か判断する（ステップＳ８０６）。電池３１の端子電圧がＶＤ’ボルト未満でＶＣ’ボルト以上である場合（ステップＳ８０６：ＹＥＳ）、電圧レベルをレベル３’に設定する（ステップＳ８０７）。そして、電圧レベルを記憶（ステップＳ８１３）し、ファイル単位で電池残量を算出する処理を終了する（リターン）。
【０１５０】
一方、電池３１の端子電圧がＶＤ’ボルト未満でＶＣ’ボルト以上ではない場合（ステップＳ８０６：ＮＯ）、電池の端子電圧がＶＣ’ボルト未満でＶＢ’ボルト以上であるか否か判断する（ステップＳ８０８）。電池の端子電圧がＶＣ’ボルト未満でＶＢ’ボルト以上である場合（ステップＳ８０８：ＹＥＳ）、電圧レベルをレベル２’に設定する（ステップＳ８０９）。そして、電圧レベルを記憶（ステップＳ８１３）し、ファイル単位で電池残量を算出する処理を終了する（リターン）。
【０１５１】
一方、電池３１の端子電圧がＶＣ’ボルト未満でＶＢ’ボルト以上ではない場合（ステップＳ８０８：ＮＯ）、電池３１の端子電圧がＶＢボルト未満でＶＡ’ボルト以上であるか否か判断する（ステップＳ８１０）。電池３１の端子電圧がＶＢボルト未満でＶＡ’ボルト以上である場合（ステップＳ８１０：ＹＥＳ）、電圧レベルをレベル１’に設定する（ステップＳ８１１）。そして、電圧レベルを記憶（ステップＳ８１３）し、ファイル単位で電池残量を算出する処理を終了する（リターン）。
【０１５２】
一方、電池３１の端子電圧がＶＢ’ボルト未満でＶＡ’ボルト以上ではない場合（ステップＳ２０８：ＮＯ）、電圧レベルをレベル０’に設定する（ステップＳ８０８）。そして、電圧レベルを記憶（ステップＳ８１３）し、ファイル単位で電池残量を算出する処理を終了する（リターン）。
【０１５３】
このように、ファイル単位で電池残量を算出する処理によれば、電池３１の端子電圧と電圧レベルとの関係は下記の表２に示すとおりである。また、表２には、各電圧レベルにおいて画像を更新できるページ数についても示されている。たとえば、電池３１の端子電圧がＶＡ’ボルト未満である場合、電圧レベルはレベル０’であり、画像を更新することはできない。電池３１の端子電圧がＶＡ’ボルト以上ＶＢ’ボルト未満である場合、電圧レベルはレベル１’であり、文書ファイルＤＦの１ページ分の画像を更新することができる。電池３１の端子電圧がＶＢ’ボルト以上ＶＣ’ボルト未満である場合、電圧レベルはレベル２’であり、文書ファイルＤＦの全ページの半分を更新することができる。
【０１５４】
【表２】
2014174461.tif 000004
【０１５５】
次に、図１２を参照して、更新判断の警告を表示する処理について説明する。本実施形態の更新判断の警告を表示する処理では、第３の実施形態の更新判断の警告を表示する処理とは異なり、ファイル単位で更新判断の警告を表示する。より具体的には、文書ファイルＤＦの全ページの半分だけ更新が可能である場合に警告を表示し、表示更新をするか否かについてユーザーの指示を受け付ける。
【０１５６】
図１２に示すとおり、まず、文書ファイルＤＦの全ページの半分しか表示を更新できない旨の警告を現在の画像に合成する（ステップＳ９０１）。システム制御部７０は、表示処理部６０に対して、たとえば「文書ファイルの全ページの半分しか表示を更新できません。表示を続行しますか？＜はい＞＜いいえ＞」という警告を表示部５０に表示するように指示する。そして、現在の画像に更新する（ステップＳ９０２）。
【０１５７】
次に、表示更新について操作があったか否かを判断する（ステップＳ９０３）。表示更新について操作がない場合（ステップＳ９０３：ＮＯ）、表示更新について操作があるまで待機する。一方、表示更新について操作があった場合（ステップＳ９０３：ＹＥＳ）、「はい」が選択されたか否かを判断する（ステップＳ９０４）。「はい」が選択された場合（ステップＳ９０４：ＹＥＳ）、更新回数に注意を促す警告を次の画像に合成する（ステップＳ９０５）。
【０１５８】
次に、電池残量を強調して表示する（ステップＳ９０６）。図１３に示すとおり、本実施形態では、電池３１が完全に充電されているとき、電池の形状を模した電池残量アイコンＢＩの内側が完全に塗りつぶされ、電池残量を示す「１００％」とともにステータスバーＳＢに表示される。一方、図１４に示すとおり、電池３１の残量が、たとえば５％に減少した場合、電池残量を示す「５％」と、画像が機密情報を含むことを示す「機密表示中」とを表示するとともに内側を塗りつぶす面積を減少させて電池残量が残り少ないことを表現する。さらに、電池残量アイコンＢＩの大きさを大きくして電池残量が残り少ないことを強調する。
【０１５９】
そして、次の画像に更新（ステップＳ９０７）し、更新判断の警告を表示する処理を終了する（リターン）。
【０１６０】
一方、「はい」が選択されなかった場合（ステップＳ９０４：ＮＯ）、合成された警告を解除する（ステップＳ９０８）。そして、現在の画像に更新（ステップＳ９０９）し、更新判断の警告を表示する処理を終了する（リターン）。
【０１６１】
なお、本実施形態では、機密情報を含む複数ページの画像を表示する場合、全ページを表示できないほど電池残量が低下しているときは、表示するか否かをユーザーが選択する構成としている。しかしながら、安全性をより高めるため、全ページを表示できないほど電池残量が低下しているときは、表示するか否かをユーザーが選択する構成とはせずに表示させない構成とすることもできる。
【０１６２】
以上で説明した図１０Ａおよび図１０Ｂに示す制御方法では、ページ単位またはファイル単位で電池残量を算出する。まず、電圧レベルがレベル１’以下であるか否かを判断し、表示部５０に表示されている第１の画像の次に表示する第２の画像が機密情報を含むか否かを判断する。そして、上記第２の画像が機密情報を含み、かつ、電圧レベルがレベル１’以下である場合、上記第２の画像を表示部５０に表示しないように制御する。
【０１６３】
また、上記方法では、電圧レベルがレベル１’で上記第２の画像が機密情報を含まない場合、これ以上更新できない旨の警告を上記第２の画像に合成し、当該第２の画像に更新する。また、電圧レベルがレベル１’で上記第２の画像が機密情報を含み、かつ上記第１の画像が機密情報を含ない場合、これ以上更新できない旨の警告を上記第１の画像に合成し、当該第１の画像に更新する。
【０１６４】
また、上記方法では、電圧レベルがレベル２’でかつ上記第２の画像が機密情報を含む場合、文書ファイルＤＦの全ページの半分しか表示を更新できない旨の警告を表示し、表示更新をするか否かについてユーザーの指示を受け付ける。
【０１６５】
以上で説明した本実施形態の表示装置１００およびその制御方法は、第１〜第３の実施形態の効果に加えて、以下の効果を奏する。
【０１６６】
本実施形態では、ファイル単位で電池残量を算出し、電圧レベルがレベル２’でかつ第２の画像が機密情報を含む場合、文書ファイルＤＦの全ページの半分しか表示を更新できない旨の警告を表示部５０に表示し、表示更新をするか否かについてユーザーの指示を受け付ける。したがって、ユーザーは文書ファイルＤＦをファイル単位で表示更新をするか否かについて判断できる。
【０１６７】
また、電池残量の低下を強調してステータスバーＳＢに表示するので、電池残量が低下してきた場合、画像が消せなくなることについてユーザーの注意を喚起できる。とくに、電池残量アイコンＢＩの大きさを変化させることに加えて、画像が機密情報を含むことを明示し、強調して表示することにより、画像を不必要に更新することを抑制できる。その結果、電池３１の消費が抑制され、機密情報を含む画像が消せなくなることを防止できる。
【０１６８】
以上のとおり、実施形態において、本発明の表示装置、その制御プログラム、および制御方法を説明した。しかしながら、本発明は、その技術思想の範囲内において当業者が適宜に追加、変形、および省略することができることはいうまでもない。
【０１６９】
たとえば、上述の第１〜第４の実施形態では、表示部が電気泳動方式の電子ペーパーを備える場合について説明した。しかしながら、本発明の表示部は電気泳動方式の電子ペーパーを備える場合に限定されず、電気泳動方式以外の他の方式の電子ペーパー、あるいは既に表示されている画像の表示を維持するために電源の電力を必要としない他の表示デバイスを備えてもよい。
【０１７０】
また、上述の第１〜第４の実施形態では、電池残量が第１所定残量以下であるか否かを判断したのちに、次の画像が機密情報を含むか否かを判断する場合を例示した。しかしながら、判断の順序を入れ替えて、次の画像が機密情報を含むか否かを判断したのちに、電池残量が第１所定残量以下であるか否かを判断してもよい。
【符号の説明】
【０１７１】
ＢＩ  電池残量アイコン、
ＣＢ  コントロールバー、
ＣＰ  制御プログラム、
ＤＦ  文書ファイル、
ＤＰ  表示プログラム、
ＩＡ  画像領域、
ＳＢ  ステータスバー、
１  ケース部材、
２  タッチパネル、
３  操作ボタン、
１０  通信部、
２０  操作部、
３０  電源ユニット、
３１  電池、
４０  電源状態監視部、
５０  表示部、
６０  表示処理部、
７０  システム制御部、
７１  ＨＤＤ、
７２  ＲＡＭ，
７３  ＲＯＭ、
７４  タイマー、
７５  ＣＰＵ、
７６  内部バス、
１００  表示装置。
【図２Ａ】
2014174461.tif 000005
【図２Ｂ】
2014174461.tif 000006
【図４】
2014174461.tif 000007
【図５】
2014174461.tif 000008
【図６】
2014174461.tif 000009
【図７Ａ】
2014174461.tif 000010
【図７Ｂ】
2014174461.tif 000011
【図７Ｃ】
2014174461.tif 000012
【図８Ａ】
2014174461.tif 000013
【図８Ｂ】
2014174461.tif 000014
【図９】
2014174461.tif 000015
【図１０Ａ】
2014174461.tif 000016
【図１０Ｂ】
2014174461.tif 000017
【図１１】
2014174461.tif 000018
【図１２】
2014174461.tif 000019
【図１３】
2014174461.tif 000020
【図１４】
2014174461.tif 000021
【図１】
2014174461.tif 000022
【図３】
2014174461.tif 000023